【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
オーディオ・デコード方法であって：
二チャネル・ダウンミックス信号と、該ダウンミックス信号に基づくあらかじめ定義されたチャネル構成をもつMチャネル・オーディオ信号のパラメトリック再構成のためのアップミックス・パラメータとを受領する段階であって、M≧4である、段階と；
あらかじめ定義されたチャネル構成をもつ前記Mチャネル・オーディオ信号の少なくとも二つの符号化フォーマットのうちの選択されたものを示すシグナルを受領する段階であって、示される選択された符号化フォーマットは前記少なくとも二つの符号化フォーマットの間で切り換わり、それらの符号化フォーマットは、前記Mチャネル・オーディオ信号の前記あらかじめ定義されたチャネル構成のチャネルの、一つまたは複数のチャネルのそれぞれ第一および第二のグループへのそれぞれ異なる分割に対応し、示された符号化フォーマットにおいて、前記ダウンミックス信号の第一のチャネルは前記Mチャネル・オーディオ信号の前記あらかじめ定義されたチャネル構成の前記第一のグループの一つまたは複数のチャネルの線形結合に対応し、前記ダウンミックス信号の第二のチャネルは前記Mチャネル・オーディオ信号の前記あらかじめ定義されたチャネル構成の前記第二のグループの一つまたは複数のチャネルの線形結合に対応する、段階と；
示された符号化フォーマットに基づいて一組のプレ脱相関係数を決定する段階と；
前記ダウンミックス信号の線形マッピングとして脱相関入力信号を計算する段階であって、前記ダウンミックス信号に前記一組のプレ脱相関係数が適用され、前記プレ脱相関係数は、前記Mチャネル・オーディオ信号の前記あらかじめ定義されたチャネル構成の第一のチャネル（TBL）が、前記ダウンミックス信号を介して、前記符号化フォーマットの少なくとも二つにおいて前記脱相関入力信号の第一の固定したチャネル（D3）に寄与するよう、決定される、段階と；
前記脱相関入力信号に基づいて脱相関済み信号を生成する段階と；
ウェット・アップミックス係数の集合およびドライ・アップミックス係数の集合を、受領されたアップミックス・パラメータおよび示された符号化フォーマットに基づいて決定する段階と；
前記ダウンミックス信号の線形マッピングとしてドライ・アップミックス信号を計算する段階であって、前記ドライ・アップミックス係数の集合が前記ダウンミックス信号に適用される、段階と；
前記脱相関済み信号の線形マッピングとしてウェット・アップミックス信号を計算する段階であって、前記ウェット・アップミックス係数の集合が前記脱相関済み信号に適用される、段階と；
前記ドライ・アップミックス信号およびウェット・アップミックス信号を組み合わせて、再構成されるべきMチャネル・オーディオ信号に対応する多次元の再構成された信号を得る段階とを含む、
オーディオ・デコード方法。
【請求項２】
前記脱相関入力信号および前記脱相関済み信号はそれぞれM−2個のチャネルを含み、前記脱相関済み信号のチャネルは、前記脱相関入力信号のたった一つのチャネルに基づいて生成され、前記プレ脱相関係数は、各符号化フォーマットにおいて、前記脱相関入力信号のチャネルが前記ダウンミックス信号のたった一つのチャネルから寄与を受けるよう決定される、請求項１記載のオーディオ・デコード方法。
【請求項３】
前記プレ脱相関係数は、さらに、前記Mチャネル・オーディオ信号の第二のチャネル（L）が、前記ダウンミックス信号を介して、前記符号化フォーマットの少なくとも二つにおいて前記脱相関入力信号の第二の固定したチャネル（D1）に寄与するよう、決定される、請求項１または２記載のオーディオ・デコード方法。
【請求項４】
前記プレ脱相関係数は、前記Mチャネル・オーディオ信号の一対のチャネル（LS、LB）が、前記ダウンミックス信号を介して、前記符号化フォーマットの少なくとも二つにおいて前記脱相関入力信号の第三の固定したチャネル（D2）に寄与するよう、決定される、請求項１ないし３のうちいずれか一項記載のオーディオ・デコード方法。
【請求項５】
第一の符号化フォーマットから第二の符号化フォーマットへの前記示された符号化フォーマットの切り換えを検出することに応答して、前記第一の符号化フォーマットに関連付けられたプレ脱相関係数値から前記第二の符号化フォーマットに関連付けられたプレ脱相関係数値への漸進的な遷移を実行することをさらに含む、請求項１ないし４のうちいずれか一項記載のオーディオ・デコード方法。
【請求項６】
前記Mチャネル・オーディオ信号は、前記Mチャネル・オーディオ信号のための再生環境における異なる水平方向を表わす三つのチャネル（L、LS、LB）と、前記再生環境における前記三つのチャネルの方向からは垂直に隔たった方向を表わす二つのチャネル（TFL、TBL）とを含む、請求項１ないし５のうちいずれか一項記載のオーディオ・デコード方法。
【請求項７】
第一の符号化フォーマットでは、前記第二のグループが前記二つのチャネルを含む、および／または
第一の符号化フォーマットでは、前記第一のグループが前記三つのチャネルを含み、前記第二のグループが前記二つのチャネルを含む、および／または
第二の符号化フォーマットでは、前記第一のグループおよび第二のグループのそれぞれが、前記二つのチャネルのうちの一つを含む、
請求項６記載のオーディオ・デコード方法。
【請求項８】
ある特定の符号化フォーマットにおいて、前記第一のグループはN個のチャネルからなり、N≧3であり、指示された符号化フォーマットが前記特定の符号化フォーマットであることに応答して：
前記プレ脱相関係数は、前記脱相関済み信号のN−1個のチャネルが前記ダウンミックス信号の前記第一のチャネルに基づいて生成されるよう、決定され；
前記ドライおよびウェット・アップミックス係数は、前記第一のグループが、前記ダウンミックス信号の前記第一のチャネルおよび前記脱相関済み信号の前記N−1個のチャネルの線形マッピングであって、前記ドライ・アップミックス係数の部分集合が前記ダウンミックス信号の前記第一のチャネルに適用され、前記ウェット・アップミックス係数の部分集合が前記脱相関済み信号の前記N−1個のチャネルに適用される、線形マッピングとして再構成されるよう決定される、
請求項１ないし７のうちいずれか一項記載のオーディオ・デコード方法。
【請求項９】
オーディオ・デコード方法であって：
少なくとも二つのあらかじめ定義されたチャネル構成のうちの一つを示すシグナルを受領する段階と；
受領されたシグナルが第一のあらかじめ定義されたチャネル構成を示すことを検出することに応答して、請求項１ないし８のうちいずれか一項記載のオーディオ・デコード方法を実行する段階と；
受領されたシグナルが第二のあらかじめ定義されたチャネル構成を示すことを検出することに応答して：
二チャネル・ダウンミックス信号および関連するアップミックス・パラメータを受領し；
前記ダウンミックス信号の第一のチャネルおよび前記アップミックス・パラメータの少なくともいくつかに基づいて第一の三チャネル・オーディオ信号のパラメトリック再構成を実行し；
前記ダウンミックス信号の第二のチャネルおよび前記アップミックス・パラメータの少なくともいくつかに基づいて第二の三チャネル・オーディオ信号のパラメトリック再構成を実行する段階とを含む、
方法。
【請求項１０】
請求項１ないし９のうちいずれか一項記載の方法を実行するよう構成された一つまたは複数のコンポーネントを有する、
オーディオ・デコード・システム。
【請求項１１】
請求項１０記載のオーディオ・デコード・システムであって、前記一つまたは複数のコンポーネントがさらに：
追加的な二チャネル・ダウンミックス信号および関連付けられた追加的なアップミックス・パラメータに基づいて追加的なMチャネル・オーディオ信号を再構成し；
前記追加的なMチャネル・オーディオ信号の少なくとも二つの符号化フォーマットのうちの選択されたものを示すシグナルを受領するよう構成されており、前記追加的なMチャネル・オーディオ信号のそれらの符号化フォーマットは、前記追加的なMチャネル・オーディオ信号のチャネルの、一つまたは複数のチャネルのそれぞれ第一および第二のグループへのそれぞれ異なる分割に対応し、
前記追加的なMチャネル・オーディオ信号の示された符号化フォーマットにおいて、前記追加的なダウンミックス信号の第一のチャネルは前記追加的なMチャネル・オーディオ信号の前記第一のグループの一つまたは複数のチャネルの線形結合に対応し、前記追加的なダウンミックス信号の第二のチャネルは前記追加的なMチャネル・オーディオ信号の前記第二のグループの一つまたは複数のチャネルの線形結合に対応し、
前記一つまたは複数のコンポーネントはさらに：
前記追加的なMチャネル・オーディオ信号の示された符号化フォーマットに基づく追加的な一組のプレ脱相関係数を決定する段階と；
前記追加的なダウンミックス信号の線形マッピングとして追加的な脱相関入力信号を計算する段階であって、前記追加的なダウンミックス信号に前記追加的な一組のプレ脱相関係数が適用される、段階と；
前記追加的な脱相関入力信号に基づいて追加的な脱相関済み信号を生成する段階と；
追加的なウェット・アップミックス係数の集合およびドライ・アップミックス係数の集合を、受領された追加的なアップミックス・パラメータおよび前記追加的なMチャネル・オーディオ信号の示された符号化フォーマットに基づいて決定する段階と；
前記追加的なダウンミックス信号の線形マッピングとして追加的なドライ・アップミックス信号を計算する段階であって、前記追加的なドライ・アップミックス係数の集合が前記追加的なダウンミックス信号に適用される、段階と；
前記追加的な脱相関済み信号の線形マッピングとして追加的なウェット・アップミックス信号を計算する段階であって、前記追加的なウェット・アップミックス係数の集合が前記追加的な脱相関済み信号に適用される、段階と；
前記追加的なドライ・アップミックス信号およびウェット・アップミックス信号を組み合わせて、再構成されるべき前記追加的なMチャネル・オーディオ信号に対応する追加的な多次元の再構成された信号を得る段階とを実行するよう構成されている、
オーディオ・デコード・システム。
【請求項１２】
前記一つまたは複数のコンポーネントがさらに：
前記ダウンミックス信号、前記ダウンミックス信号に関連付けられた前記アップミックス・パラメータおよび離散的に符号化されたオーディオ・チャネル（C）を、ビットストリームから抽出する段階と；
前記離散的に符号化されたオーディオ・チャネルをデコードする段階とを実行するよう構成されている、
請求項１０または１１記載のオーディオ・デコード・システム。
【請求項１３】
オーディオ・エンコード方法であって：
あらかじめ定義されたチャネル構成をもつMチャネル・オーディオ信号を受領する段階であって、M≧4である、段階と；
少なくとも二つの符号化フォーマットのうちの一つを反復的に選択する段階であって、これらの符号化フォーマットは、前記Mチャネル・オーディオ信号の前記あらかじめ定義されたチャネル構成のチャネルの、一つまたは複数のチャネルのそれぞれ第一および第二のグループへのそれぞれ異なる分割に対応し、各符号化フォーマットは二チャネル・ダウンミックス信号を定義し、該二チャネル・ダウンミックス信号において、前記ダウンミックス信号の第一のチャネルは前記Mチャネル・オーディオ信号の前記あらかじめ定義されたチャネル構成の前記第一のグループの一つまたは複数のチャネルの線形結合として形成され、前記ダウンミックス信号の第二のチャネルは前記Mチャネル・オーディオ信号の前記あらかじめ定義されたチャネル構成の前記第二のグループの一つまたは複数のチャネルの線形結合として形成される、段階と；
現在選択されている符号化フォーマットについて、ドライ・アップミックス係数の集合およびウェット・アップミックス係数の集合を決定する段階と；
現在選択されている符号化フォーマットに従って、前記Mチャネル・オーディオ信号に基づいて前記二チャネル・ダウンミックス信号を計算する段階と；
時間フレームにセグメント分割された現在選択されている符号化フォーマットの前記ダウンミックス信号と、前記ダウンミックス信号および前記選択された符号化フォーマットの前記ダウンミックス信号の少なくとも一つのチャネルに基づいて決定される脱相関済み信号に基づいて前記Mチャネル・オーディオ信号のパラメトリック再構成を可能にするサイド情報とを出力する段階であって、前記サイド情報は、前記ドライ・アップミックス係数の集合およびウェット・アップミックス係数の集合の離散的な値を含み、時間フレーム当たり少なくとも一つの離散的な値が出力される、段階と；
現在選択されている符号化フォーマットを示すシグナルを出力する段階とを含み、
第一の選択された符号化フォーマットから第二の異なる選択された符号化フォーマットへの変化に応答して、前記第二の選択された符号化フォーマットに基づくダウンミックス信号が計算され、前記第一の選択された符号化フォーマットに基づくダウンミックス信号および前記第二の選択された符号化フォーマットに基づくダウンミックス信号のクロスフェードが前記ダウンミックス信号の代わりに出力され、
前記離散的な値の間での前記Mチャネル・オーディオ信号の前記パラメトリック再構成は、あらかじめ定義された補間規則に従っての前記ドライ・アップミックス係数の集合およびウェット・アップミックス係数の集合の補間された値に基づき、前記ダウンミックス信号のクロスフェードならびに前記ドライ・アップミックス係数の集合およびウェット・アップミックス係数の集合の前記離散的な値が、前記クロスフェードおよび補間が同期的になるような仕方で出力される、
オーディオ・エンコード方法。
【請求項１４】
オーディオ・エンコード・システムであって、あらかじめ定義されたチャネル構成をもつMチャネル・オーディオ信号を、二チャネル・オーディオ信号および関連するアップミックス・パラメータとしてエンコードするよう構成されたエンコード部を有し、M≧4であり、前記エンコード部は：
前記Mチャネル・オーディオ信号の前記あらかじめ定義されたチャネル構成のチャネルの、一つまたは複数のチャネルのそれぞれ第一および第二のグループへのそれぞれ異なる分割に対応する少なくとも二つの符号化フォーマットのうちの少なくとも一つについて、その符号化フォーマットに従って、前記Mチャネル・オーディオ信号に基づく二チャネル・ダウンミックス信号を計算するよう構成されたダウンミックス部であって、前記ダウンミックス信号は時間フレームにセグメント分割され、前記ダウンミックス信号の第一のチャネルは、前記Mチャネル・オーディオ信号の前記あらかじめ定義されたチャネル構成の前記第一のグループの一つまたは複数のチャネルの線形結合として形成され、前記ダウンミックス信号の第二のチャネルは、前記Mチャネル・オーディオ信号のチャネルの一つまたは複数のあらかじめ定義されたチャネル構成の線形結合として形成される、ダウンミックス部と；
前記符号化フォーマットのうちの一つを選択するよう構成された制御部と；
前記制御部によって選択された第一の符号化フォーマットと、前記第一の符号化フォーマットの直後に前記制御部によって選択された第二の符号化フォーマットとに基づくダウンミックス信号のクロスフェードを生成するよう構成されたダウンミックス補間器とを有しており、
当該オーディオ・エンコード・システムは、現在選択されている符号化フォーマットについて、ドライ・アップミックス係数の集合およびウェット・アップミックス係数の集合を決定し、現在選択されている符号化フォーマットを示すシグナルと、前記ダウンミックス信号および前記選択された符号化フォーマットの前記ダウンミックス信号の少なくとも一つのチャネルに基づいて決定される脱相関済み信号に基づいて前記Mチャネル・オーディオ信号のパラメトリック再構成を可能にするサイド情報とを出力するよう構成されており、前記サイド情報は、前記ドライ・アップミックス係数の集合およびウェット・アップミックス係数の集合の離散的な値を含み、時間フレーム当たり少なくとも一つの離散的な値が出力され、
前記離散的な値の間での前記Mチャネル・オーディオ信号の前記パラメトリック再構成は、あらかじめ定義された補間規則に従っての前記ドライ・アップミックス係数の集合およびウェット・アップミックス係数の集合の補間された値に基づき、当該オーディオ・エンコード・システムは、前記ダウンミックス信号のクロスフェードならびに前記ドライ・アップミックス係数の集合およびウェット・アップミックス係数の集合の前記離散的な値を、前記クロスフェードおよび補間が同期的になるような仕方で出力するよう構成されている、
オーディオ・エンコード・システム。
【請求項１５】
M2チャネル・オーディオ・信号をさらにエンコードするよう構成された、請求項１４記載のオーディオ・エンコード・システムであって、
前記制御部は、前記符号化フォーマットのうちの一つを繰り返し選択するよう構成されており、該選択は、前記Mチャネル・オーディオ信号および前記M2チャネル・オーディオ信号についての効果をもち、
当該システムはさらに、前記制御部と通信上結合され、前記制御部によって選択された符号化フォーマットに従って前記M2チャネル・オーディオ信号をエンコードするよう構成されている追加的なエンコード部を有する、
オーディオ・エンコード・システム。
【請求項１６】
請求項１ないし９および１３のうちいずれか一項記載の方法を実行するための命令をもつコンピュータ可読媒体を有するコンピュータ・プログラム・プロダクト。